【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
電話網との通信確立時に電話番号の登録を行う電話番号処理装置であって、
外線の電話網の電話番号と、外線の電話網に発信可能で外線の電話網の電話番号ではないシステム番号とが一意に対応づけられた外線情報データを記憶する記憶手段と、
電話から、前記外線情報データに記憶されているシステム番号の問い合わせ要求と、外線の電話網の電話番号と、所望の番号を受信する受信手段と、
前記受信した外線の電話網の電話番号と一致する外線の電話網の電話番号を前記外線情報データから検索し、前記外線情報データに一致する外線の電話網の電話番号があるかいなかを判定する第１の判定手段と、
前記第１の判定手段がないと判定した場合に、前記受信した所望の番号が含まれるシステム番号を新規に発行し、前記外線情報データに、前記受信した外線の電話網の電話番号を当該新規発行されたシステム番号と一意に対応づけて登録する登録手段と、
を備えることを特徴とする電話番号処理装置。
【請求項２】
前記受信手段は、前記第１の判定手段がないと判定した場合に、前記所望の番号を受信することを特徴とする請求項１に記載の電話番号処理装置。
【請求項３】
前記外線情報データに、前記受信した所望の番号をシステム番号内の所定の箇所に配置したシステム番号と一致するシステム番号の中で、新規発行に割り当て可能な番号があるかいなかを判定する第２の判定手段をさらに備え、
前記登録手段は、前記第２の判定手段があると判定した場合に、前記所望の番号が含まれるシステム番号を新規に発行することを特徴とする請求項１または請求項２のいずれか1項に記載の電話番号処理装置。
【請求項４】
前記第１の判定手段があると判定した場合に、前記受信した外線の電話網の電話番号に対応するシステム番号が登録されていることを、前記電話に通知する登録通知手段をさらに備えることを特徴とする請求項１乃至請求項３のいずれか1項に記載の電話番号処理装置。
【請求項５】
前記登録手段が前記所望の番号が含まれるシステム番号を新規に発行した後に、当該新規発行したシステム番号を、前記電話に通知するシステム番号通知手段をさらに備えることを特徴とする請求項１乃至請求項４のいずれか1項に記載の電話番号処理装置。
【請求項６】
前記第２の判定手段がないと判定された場合に、前記受信した所望の番号と異なる番号を受信すべく、前記電話に所望の番号の受付を行うための音声メッセージを、前記電話に送信する第１の受付指示手段をさらに備えることを特徴とする請求項３に記載の電話番号処理装置。
【請求項７】
前記受信手段で前記新規発行要求を受けると、所望する着信先番号の受付を行うための音声メッセージを、前記電話に送信する第２の受付指示手段をさらに備え、
前記第２の受付指示手段による音声メッセージの送信後に、前記受信手段は、前記電話から外線の電話網の電話番号を受信することを特徴とする請求項１乃至６のいずれか１項に記載の電話番号処理装置。
【請求項８】
電話網との通信確立時に電話番号の登録を行い、外線の電話網の電話番号と、外線の電話網に発信可能で外線の電話網の電話番号ではないシステム番号とが一意に対応づけられた外線情報データを記憶する記憶手段を備える電話番号処理装置の制御方法であって、
前記電話番号処理装置の受信手段が、電話から、前記外線情報データに記憶されているシステム番号の問い合わせ要求と、外線の電話網の電話番号と、所望の番号を受信する受信工程と、
前記電話番号処理装置の第１の判定手段が、前記受信した外線の電話網の電話番号と一致する外線の電話網の電話番号を前記外線情報データから検索し、前記外線情報データに一致する外線の電話網の電話番号があるかいなかを判定する第１の判定工程と、
前記電話番号処理装置の登録手段が、前記第１の判定工程でないと判定した場合に、前記受信した所望の番号が含まれるシステム番号を新規に発行し、前記外線情報データに、前記受信した外線の電話網の電話番号を当該新規発行されたシステム番号と一意に対応づけて登録する登録工程と、
を含むことを特徴とする制御方法。
【請求項９】
電話網との通信確立時に電話番号の登録を行う電話番号処理装置で読み取り実行可能なプログラムであって、
前記電話番号処理装置を
外線の電話網の電話番号と、外線の電話網に発信可能で外線の電話網の電話番号ではないシステム番号とが一意に対応づけられた外線情報データを記憶する記憶手段と、
電話から、前記外線情報データに記憶されているシステム番号の問い合わせ要求と、外線の電話網の電話番号と、所望の番号を受信する受信手段と、
前記受信した外線の電話網の電話番号と一致する外線の電話網の電話番号を前記外線情報データから検索し、前記外線情報データに一致する外線の電話網の電話番号があるかいなかを判定する第１の判定手段と、
前記第１の判定手段がないと判定した場合に、前記受信した所望の番号が含まれるシステム番号を新規に発行し、前記外線情報データに、前記受信した外線の電話網の電話番号を当該新規発行されたシステム番号と一意に対応づけて登録する登録手段と、
して機能させることを特徴とするプログラム。
【手続補正２】
【補正対象書類名】明細書
【補正対象項目名】発明の名称
【補正方法】変更
【補正の内容】
【発明の名称】電話番号処理装置、およびその制御方法とプログラム
【手続補正３】
【補正対象書類名】明細書
【補正対象項目名】０００１
【補正方法】変更
【補正の内容】
【０００１】
本発明は、電話番号処理装置、およびその制御方法とプログラムの技術に関する。
【手続補正４】
【補正対象書類名】明細書
【補正対象項目名】００１５
【補正方法】変更
【補正の内容】
【００１５】
本願発明は、電話網との通信確立時に電話番号の登録を行う電話番号処理装置であって、外線の電話網の電話番号と、外線の電話網に発信可能で外線の電話網の電話番号ではないシステム番号とが一意に対応づけられた外線情報データを記憶する記憶手段と、電話から、前記外線情報データに記憶されているシステム番号の問い合わせ要求と、外線の電話網の電話番号と、所望の番号を受信する受信手段と、前記受信した外線の電話網の電話番号と一致する外線の電話網の電話番号を前記外線情報データから検索し、前記外線情報データに一致する外線の電話網の電話番号があるかいなかを判定する第１の判定手段と、前記第１の判定手段がないと判定した場合に、前記受信した所望の番号が含まれるシステム番号を新規に発行し、前記外線情報データに、前記受信した外線の電話網の電話番号を当該新規発行されたシステム番号と一意に対応づけて登録する登録手段と、を備えることを特徴とする。
また、前記受信手段は、前記第１の判定手段がないと判定した場合に、前記所望の番号を受信することを特徴とする。
【手続補正５】
【補正対象書類名】明細書
【補正対象項目名】００１７
【補正方法】変更
【補正の内容】
【００１７】
また、前記第１の判定手段があると判定した場合に、前記受信した外線の電話網の電話番号に対応するシステム番号が登録されていることを、前記電話に通知する登録通知手段をさらに備えることを特徴とする。
【手続補正６】
【補正対象書類名】明細書
【補正対象項目名】００１８
【補正方法】変更
【補正の内容】
【００１８】
また、前記登録手段が前記所望の番号が含まれるシステム番号を新規に発行した後に、当該新規発行したシステム番号を、前記電話に通知するシステム番号通知手段をさらに備えることを特徴とする。
【手続補正７】
【補正対象書類名】明細書
【補正対象項目名】００１９
【補正方法】変更
【補正の内容】
【００１９】
また、前記第２の判定手段がないと判定された場合に、前記受信した所望の番号と異なる番号を受信すべく、前記電話に所望の番号の受付を行うための音声メッセージを、前記電話に送信する第１の受付指示手段をさらに備えることを特徴とする。
【手続補正８】
【補正対象書類名】明細書
【補正対象項目名】００２０
【補正方法】変更
【補正の内容】
【００２０】
また、前記受信手段で前記新規発行要求を受けると、所望する着信先番号の受付を行うための音声メッセージを、前記電話に送信する第２の受付指示手段をさらに備え、前記第２の受付指示手段による音声メッセージの送信後に、前記受信手段は、前記電話から外線の電話網の電話番号を受信することを特徴とする。